(57)【要約】  通信方法が以下の動作、すなわち：  モバイル端末２によって、端末２の環境においてショットを撮影することと、  ショットを解析して、ショット内のオブジェクトの存在を検出することと、  オブジェクトがその画像によって識別されたとき、前記オブジェクトに関連付けられる少なくとも１つの場所を識別することと、  端末の位置を考慮に入れることと、  前記位置に基づいてオブジェクトに関連付けられる場所を選択することと、  少なくとも１つの場所及びオブジェクトに関連付けられる情報を端末上に表示することとを含む。
2015515669.tif 000002
【特許請求の範囲】
【請求項１】
モバイル端末（２）によって、端末（２）の環境においてショットを撮影するステップと、
ショットを解析して、ショット内のオブジェクトの存在を検出するステップと、
オブジェクトがその画像によって識別されたとき、前記オブジェクトに関連付けられる少なくとも１つの場所を識別するステップと、
端末の位置を考慮に入れるステップと、
オブジェクトに関連付けられる複数の場所の中から、前記位置に基づいてオブジェクトに関連付けられる場所を選択するステップであって、選択された場所は端末の位置に最も近い場所である、選択するステップと、
少なくとも１つの場所及びオブジェクトに関連付けられる情報を端末上に表示するステップとを含む、通信方法。
【請求項２】
識別されたオブジェクトが、バーコード、タグ、屋外広告、雑誌に印刷された広告、又は画面上に表示される広告を含むグループから選択されることを特徴とする、請求項１に記載の方法。
【請求項３】
オブジェクトに関連付けられる少なくとも１つの場所を端末上に表示するステップが、拡張現実を用いて実行されることを特徴とする、請求項１又は２に記載の方法。
【請求項４】
前記位置から前記オブジェクトに関連付けられる少なくとも１つの場所への案内手順を起動するステップを含むことを特徴とする、請求項１から３のいずれか一項に記載の方法。
【請求項５】
モバイル端末（２）と遠隔通信システム（３）との間にメディアセッションを確立するステップと、
メディアセッション中にモバイル端末（２）によって通信システム（３）にショットを送信するステップと、
通信システム（３）内でショットを解析し、その中の前記オブジェクトの存在を検出するステップとを更に含む、請求項１から４のいずれか一項に記載の通信方法。
【請求項６】
それぞれが所定の場所に関連付けられる複数の画像を含むデータベース（６）と、
モバイル端末（２）から受信されたショット内で、データベース（６）内に保存される画像に対応するオブジェクトを識別するために、データベース（６）に接続され、前記ショットを画像解析するように構成されるアプリケーションサーバ（５）と、
アプリケーションサーバ（５）に接続され、モバイル端末の位置を考慮に入れて、データベース内の前記オブジェクトに対応する幾つかの場所の中から、前記位置に最も近い場所を選択し、かつオブジェクトに関連付けられる少なくとも１つの場所を端末上に表示するための手順を起動するように構成される位置サーバ（７）とを備える、通信システム（３）。
【請求項７】
位置サーバ（７）が、端末（２）内で、端末（２）内に実装される衛星測位システムのナビゲーションシステムを遠隔起動するように構成される、請求項６に記載の通信システム。
【請求項８】
特に屋内において、モバイル端末の位置を特定する小型セルのネットワークを備えることを特徴とする、請求項６又は７に記載の通信システム。
【発明の詳細な説明】
【技術分野】
【０００１】
本発明は電気通信の分野に関する。
【背景技術】
【０００２】
第３世代（３Ｇ）通信技術はある数のマルチメディアサービスをモバイルネットワークに統合することを可能にした。さらに、モバイル端末の能力が向上した結果、衛星ナビゲーションと、双方向情報又は広告サービスとの組み合わせのような高度なソフトウェアアプリケーションをモバイル端末において実施することができる。
【０００３】
例えば、所与の物理的な場所に関連する情報が、ＧＰＳによって突き止められるモバイル端末に与えられる方法を記述する米国特許第７  ５７６  ６４４号を参照することができる。
【０００４】
デジタルカメラ、ＧＰＳチップ、加速度計、及び電子コンパスを備えたモバイル端末の開発が、新たなアプリケーションに向けて拡張現実を開く。Ａｒｇｏｎ、Ｗｉｋｉｔｕｄｅ、Ｌａｙａｒ、及び種々のアプリケーション（ＵｒｂａｎＳｐｏｏｎ、Ｂｉｏｎｉｃ  Ｅｙｅ、Ｔｏｎｃｈｉｄｏｔ）を含む、幾つかの拡張現実ブラウザが市場に現れた。
【０００５】
アプリケーションＡｒｇｏｎは、本出願人の支援のもと、ジョージア工科大学によって開発された。Ｋｈａｒｍａプロジェクトの１つの実施態様として、Ａｒｇｏｎは、ＫＭＬ及びＨＴＭＬ５標準規格を組み合わせ、特に、仮想オブジェクト双方向性及びカスタマイゼーションに関して数多くの利点を有する。アドレスｈｔｔｐ：／／ａｒｇｏｎｂｒｏｗｓｅｒ．ｏｒｇでは、Ａｒｇｏｎについて概説されている。
【０００６】
Ｍｏｂｉｌｉｚｙ社によって開発されたアプリケーションＷｉｋｉｔｕｄｅ（ｈｔｔｐ：／／ｗｗｗ．ｗｉｋｉｔｕｄｅ．ｏｒｇ）は、ウィキペディア、グーグルによるアンドロイドモバイルオペレーティングシステム及びＨＴＣによって製造されるスマートフォンＧ１を統合した結果である。Ｗｉｋｉｔｕｄｅは、ジオタグ機能付きのモバイル端末によって撮影された画像上にウィキペディアからの情報を追加できるようにする。
【０００７】
アプリケーションＬａｙａｒにより、アンドロイドアプリケーションのユーザは、情報及び関心地点を追加できるようになるが、ソースコード内でＰＯＩを直接作成することはできない。Ｌａｙａｒの動作原理は以下のとおりである：ユーザがリストから主題を選択し、その主題についての情報をサーバから要求し（ＧＥＴ要求）、位置情報をサーバに送信する。それに応じて、サーバはその位置付近において選択された主題に関するＰＯＩを収集し、それらのＰＯＩを端末に（ＪＳＯＮ形式ドキュメントの形で）送信し、ＰＯＩは上に重ね合わせられており、特に、端末の方位を検出すること（例えば、モバイル端末のコンパス）によって、仮想オブジェクトが実際のオブジェクト上で正確に方向を合わせられる。
【先行技術文献】
【特許文献】
【０００８】
【特許文献１】米国特許第７  ５７６  ６４４号明細書
【発明の概要】
【発明が解決しようとする課題】
【０００９】
本発明は、位置情報機能付きモバイル端末のユーザの関心の的を考慮に入れる、通信及び情報方法及びシステムを提供することを特に意図している。
【課題を解決するための手段】
【００１０】
そのため、本発明は最初に、以下の動作を含む通信方法を提案する：
−  モバイル端末の環境において、モバイル端末によってショットを撮影し、
−  ショットを解析して、その中のオブジェクトの存在を検出し、
−  その画像によってオブジェクトが識別されたとき、前記オブジェクトに関連付けられる少なくとも１つの場所を識別し、
−  端末の位置を考慮に入れ、
−  前記位置に基づいて、オブジェクトに関連付けられる場所を選択し、
−  オブジェクトに関連付けられる少なくとも１つの場所及び情報を端末上に表示する。
【００１１】
ここで、「モバイル端末」は、モバイル電話、スマートフォン、ＰＤＡ（携帯情報端末）、電子タブレット、又は車両に関連付けられる電子端末を特に指している。
【００１２】
「ショットを撮影する」という表現は、画像を取り込むことを指しており、そのようにして取り込まれるのは写真である可能性がある。有利には、写真を撮影する必要はなく、モバイル端末に接続したカメラを、ショットを撮影するように位置決めすれば十分である。このような画像の取り込みは、音を取り込むことに置き換えることもでき、取り込まれた画像の解析は、音声認識に置き換えられることを理解されたい。また、画像は印刷又は非印刷コンテンツ、特にビデオストリームから取り込むこともできることも理解されたい。
【００１３】
「端末の環境」という表現は、建物、広告板、ポスター又はバス待合所のような、その画像が端末によって取り込まれる場合がある、端末付近にある物理的要素を特に指している。
【００１４】
「オブジェクト」という用語は、有利には、バーコード若しくは情報を伝える他の１次元コード、タグ（ＱＲ（クイックレスポンス）コード、データマトリックス、マイクロソフトタグ）及び他の２次元コード、屋外広告、雑誌に印刷された広告又は画面に表示される広告のような画像を指している。
【００１５】
ここで、「オブジェクトに関連付けられる場所」は、関心地点（ＰＯＩ）、例えば、企業の製品又はサービスの提示地点又は販売地点を特に指しており、オブジェクトはその企業又は商標を符号化したものを含む。例えば、オブジェクトはフランチャイズレストランの商標を符号化するタグであり、そのオブジェクトに関連付けられる場所は、モバイル端末の位置に最も近いレストランである。
【００１６】
有利には、オブジェクトに関連付けられる場所及びオブジェクトに関連付けられる情報を表示するために、モバイル端末の位置が考慮に入れられる。
【００１７】
ここで、「オブジェクトに関連付けられる情報」は販売促進用提供物（クーポン、割引券、ロイヤルティポイント、及びクレジットカード若しくは銀行カードとして用いることができるハイブリッドカードなど）を特に指している。
【００１８】
本説明の残りの部分において更に十分に明らかになるように、本発明はモバイルジオマーケティングに適用することができるが、非商用アプリケーションでも同様に実現可能である。
【００１９】
したがって、例えば、オブジェクトは産業機械部品上に配置されるタグであり、オブジェクトに関連付けられる情報は、位置情報機能付き機械についての機械部品の特性の技術的概説である。
【００２０】
特定の実施態様では、オブジェクトに関連付けられる情報はオブジェクト及び端末の位置から独立している。例えば、オブジェクトは芸術品のコピーであり、モバイル端末上に表示される場所は、オリジナルの芸術品が現在見られる美術館の位置であり、オブジェクトに関連付けられる情報は、芸術家の簡単な説明である。別の例によれば、オブジェクトはロゴであり、モバイル端末上に表示される場所は、そのロゴを付けた製品を見ることができるショッピングセンターの位置であり、オブジェクトに関連付けられる情報は、その製品に関する簡単な説明である。
【００２１】
特定の実施態様では、オブジェクトに関連付けられる情報は、オブジェクト及び／又は端末の位置によって決まる。例えば、その情報は、オブジェクト及び／又は端末の位置に近い場所に関連する。所与のオブジェクト、例えば、ブランドロゴ又はタグの場合には、オブジェクトに関連付けられる情報、例えば、販売促進用提供物又は広告は、オブジェクト及び／又は端末の位置によって異なることになる。例えば、オブジェクトはブランドのサインであり、端末上に表示される場所はチェーン店の位置であり、オブジェクトに関連付けられる情報は、その端末がフランスに位置するとき、フランス語でのその店舗の説明である。
【００２２】
種々の実施形態において、識別されるオブジェクトは、バーコード、タグ、屋外広告、雑誌に印刷された広告、又は画面に表示される広告を含むグループから選択される。
【００２３】
端末の位置は特にＧＰＳによって得ることができる。一実施形態では、タグのようなモバイル端末の環境内に配置されるオブジェクトは、オブジェクトの位置情報を符号化する。
【００２４】
「広告」という用語は、市販製品及びサービスを販売促進するメッセージを意味すると理解されるべきではない。むしろ、本明細書において用いられるときに、広告は、非営利及び非市販製品及びサービスの促進及び告知も指している。「広告」という用語は、本明細書において用いられるときに、制度、教育、文化、又は市民に関する告知も指している。
【００２５】
有利には、オブジェクトに関連付けられる少なくとも１つの場所の端末上の表示には拡張現実が使用される。有利には、拡張現実によって、ＰＯＩ（Ｐｏｉｎｔｓ  ｏｆ  Ｉｎｔｅｒｅｓｔ：関心地点）をモバイル端末のビデオキャプチャ上に重ね合わせることができるようになる。
【００２６】
一実施形態では、前記方法は、前記位置から、そのオブジェクトに関連付けられる少なくとも１つの場所までの案内手順を起動するステップを含む。有利には、そのオブジェクトに関連付けられる複数の場所の中から、選択された場所は、端末の位置に最も近い場所である。
【００２７】
第２の態様によれば、本発明は通信システムに関連し、
−  それぞれが所定の場所に関連付けられる複数の画像を含むデータベースと、
−  モバイル端末から受信されたショット内で、データベース内に保存される画像に対応するオブジェクトを識別するために、データベースに接続され、前記ショットの画像解析を実行するように構成されるアプリケーションサーバと、
−  アプリケーションサーバに接続され、オブジェクトに関連付けられる少なくとも１つの場所を端末上に表示する手順を起動するように構成される位置サーバとを備える。
【００２８】
オブジェクトを識別するためのショットの解析は、遠隔通信システム内で実行することができるか、又はアプリケーションサーバからのローカルアプリケーションを用いてモバイル端末内で実行することができる。
【００２９】
一実施態様では、位置サーバは、端末内に実装される衛星測位システムのナビゲーションシステムを端末内で遠隔起動するように構成される。
【００３０】
有利には、そのシステムは、特に、鉄道駅、ショッピングセンター及び空港のような建物内でモバイル端末の位置を特定するための小型セルを備える。これらの小型セルは、例えば、出願人のｌｉｇｈｔＲａｄｉｏ（Ｒ）フェムトセルタイプからなる。
【図面の簡単な説明】
【００３１】
【図１】本発明の一実施の態様の例を示す図である。
【発明を実施するための形態】
【００３２】
本発明の他の目的及び利点は、本発明に準拠する通信システム及び通信方法を示す添付の図面を参照しながら、以下の説明を検討すると明らかになるであろう。
【００３３】
以下の説明では、ショット解析、及びそのショット内のオブジェクトの存在を検出することが遠隔通信システム内で実行される。
【００３４】
しかしながら、ショット解析、及びそのショット内のオブジェクトの存在を検出することは、他の実施態様では、ローカルアプリケーションを用いてモバイル端末内で実行される場合があることは理解されたい。
【００３５】
また、ショット解析、及びそのショット内のオブジェクトの存在を検出することは、一部はモバイル端末内で、一部は遠隔通信システム内で実行される場合があることも理解されたい。
【００３６】
その図面は、通信システム３にワイヤレス接続される、モバイル端末２（モバイル電話、通信用ＰＤＡ、デジタルタブレット、スマートフォン、車両に接続される電子端末）を含むネットワークアーキテクチャ１を表し、通信システム３は、端末２とのメディアセッションの確立を取り扱うメディアサーバ４を備え、メディアサーバ４に接続され、有利には拡張現実アプリケーションが実装されるビデオアプリケーションサーバ５と、ビデオアプリケーションサーバ５に接続され、又はその中に組み込まれ、その中にオブジェクトの画像及びそれらのオブジェクトに関連付けられる場所の地理座標が保存されるデータベース６と、ビデオアプリケーションサーバ５に接続され、端末２の位置を特定するようにプログラミングされる位置サーバ７とを備える。
【００３７】
メディアサーバ４及びモバイル端末２は、その間に、特にオーディオ／ビデオデータを交換できるようにするメディアセッション（例えば、ＲＴＰ又はＨ３２４ｍプロトコルによる）を確立するように構成される。
【００３８】
モバイル端末２は、端末２の環境のショット（写真、ビデオ）を撮影できるようにするカメラを備えている。
【００３９】
また、モバイル端末２は、画像及びビデオを表示できるようにする画面８と、ナビゲーションアシスタンスアプリケーションを含む（例えば、衛生）測位システムとを備えており、それにより、有利には、２次元又は３次元地図９が、端末２の画面上に表示され、地図上の端末の位置は、プログラムされた経路に関連付けられる可能性がある。
【００４０】
システム３は、システム３によって識別可能なオブジェクトを含むショットに基づいて、端末２をそのオブジェクトに関連付けられる場所に案内できるように構成される。この案内手順は、端末上の場所の座標表示、又は位置サーバ７からのその場所への案内を含むことができる。
【００４１】
ここで、「案内」は、前記オブジェクトに関連付けられる場所の存在に関する情報を指しており、その情報は種々の形：前記場所の位置において地図上にオブジェクトを重ね合わせる、前記場所の住所を表示する、端末の位置と前記場所との間の１つ又は複数の経路及び移動時間を表示するという形で現れる。
【００４２】
有利には、「リアルタイム」プロトコル（ＲＴＰ又はＨ３２４ｍなど）に従って、端末２と通信システム３との間に、より具体的には、端末２（自発的に）とメディアサーバ４との間に、メディアセッションが最初に確立される（１０１）。
【００４３】
端末２とメディアサーバ４との間にメディアサーバが確立されている間に、端末２からショット（ビデオ、写真）が撮影され、前記ショットはシステム３によって識別することができるオブジェクトを含む。
【００４４】
そのショットは、端末２によってメディアサーバ４にリアルタイムに送信される（１０２）。
【００４５】
ショットが受信されると、メディアサーバ４はショットを分離し、おそらく展開した後に、解析のためにビデオアプリケーションサーバ５に送信する（１０３）。
【００４６】
その拡張現実機能を用いて、ビデオアプリケーションサーバ５は、その後、その画像がデータベース６内で入手可能であるオブジェクトの存在をショット内で検出するために、ショットの解析（１０４）を「リアルタイム」に実行する。
【００４７】
また、ビデオアプリケーションサーバ６は、少なくとも１つの３Ｄオブジェクトをショット内で検出するために、複数のショット（特に異なる視点から撮影される）から３Ｄオブジェクトの認識を実行するように動作する。
【００４８】
そのようなオブジェクトがその画像によって識別されるたびに、ビデオアプリケーションサーバ５は、そのオブジェクトに関連付けられる場所（又は複数の場所）の地理座標をデータベース６から引き出し、地理座標を位置サーバ７に送信する（１０５）。位置サーバ７は端末２の位置を考慮に入れ（例えば、位置を特定した後に）、その位置に基づいて場所を選択する。複数の場所がデータベース６内の同じオブジェクトに対応するとき、その選択は、端末２の位置に最も近い場所を選択することからなることができる。
【００４９】
その後、位置サーバ７は、選択された場所の座標を端末２に送信する（１０６）か、又は端末２の位置に基づいて案内手順を直接初期化する。
【００５０】
第１の半自動の実施形態によれば、選択された場所の座標が送信され、その後、端末２上に単純に表示され、その端末における案内手順を起動する機会は、ユーザの自発性に委ねられる。
【００５１】
第２の自動式の実施形態によれば、選択された場所の座標が送信されるのと同時に、位置サーバ７は、端末２上で、その場所を案内できるようにする測位システムのナビゲーションアプリケーションを遠隔起動する。
【００５２】
第３の同じく自動式の実施形態によれば、選択された場所の座標は端末２に送信されず、通信システム３は、端末２の位置に基づいて遠隔測位システムのアプリケーションを管理する。
【００５３】
そのため、ナビゲーションアプリケーションは、端末２の現在の位置を考慮に入れ、その位置及び選択された場所を結ぶ経路を生成する。
【００５４】
このようにして作成された経路は、端末２の画面８の地図９上に単純に表示される場合がある。１つの変形形態では、ナビゲーションアプリケーションは、このようにして作成された経路に沿って、端末２を選択された場所まで案内する手順を直接トリガーする。
【００５５】
種々の実施形態において、端末の位置は、
−  伝搬チャネルとは別に、又は組み合わせて指定されるパラメータ、
−  及び／又は端末の環境の空間的特徴、
に基づいてジオロケーション技法によって得られる。
【００５６】
幾つかの実施形態では、第１のステップにおいて、種々の受信地点において、１つ又は複数のパラメータの推定が行われ、それらのパラメータは、例えば、モバイル端末によって放出される少なくとも１つの信号の受信電力、到着時刻（又は到着時間差）、（１つ又は複数の）到着方向、又は（１つ又は複数の）出発方向である。第２のステップにおいて、（出発及び／又は到着）方向及び／又は（１つ若しくは複数の）円（例えば、一定の受信電力、一定の到着時刻）の交点に基づいて、送信地点（すなわち、モバイル端末）の幾何学的再構成が実行される。
【００５７】
他の実施形態では、第１のステップにおいて、その位置の環境の格子上の信号の少なくとも１つの特徴（例えば、電力、到着時刻、遅延スプレッド、偏波、信号数、出発及び／又は到着方向）の理論的モデル化及び／又は実験的測定によって学習が実行される。第２のステップにおいて、相関などによって、その特徴とあらかじめ確立されている特徴が比較される。
【００５８】
一実施形態では、端末の位置、特に建物内の位置は、例えば、本出願人のｌｉｇｈｔＲａｄｉｏ（ＴＭ）フェムトセルのような小型セルを用いて与えられる。
【００５９】
端末のカメラによって取り込まれたオブジェクトは、有利には、バーコード若しくは情報を伝える他の１次元コード、タグ（ＱＲ（クイックレスポンス）コード、データマトリックス、マイクロソフトタグ）及び他の２次元コード、屋外広告、雑誌に印刷された広告又は画面に表示される広告のような画像並びに音を含むグループから選択される。
【００６０】
その取込み（ショット）は写真撮影によって行われる場合がある。
【００６１】
有利には、写真を撮影する必要はなく、企業又は施設のロゴのような、ユーザの関心を引く画像に向かってカメラを向ければ十分である。
【００６２】
説明されたばかりの方法及びシステムは、モバイルジオロケーション通信のために、詳細にはモバイルジオマーケティングのために用いることできる。
【００６３】
モバイルジオマーケティングアプリケーションの以下の説明において：
−  「ブランド」という用語は、製品又はサービスのために企業、団体又は任意の他のグループが伝達する名称又は記号を指している。例えば、ブランドは商標ロゴである。
−  「販売地点」という表現は、ブランドの製品及びサービスが提示される物理的な位置を指している。
−  「提供物」という表現は、販売地点に結び付けられる情報を指している。例えば、提供物はコマーシャル（販売促進、ギフトカード、クーポン、ロイヤルティカード、クレジット）である。
【００６４】
販売地点の特徴、特にその地理的位置は、関心地点（ＰＯＩ）としてデータベースにインポートされる。
【００６５】
提供物は、提供物の画像及びテキストが配置される標準的なテンプレートの形式で、データベースにインポートされる。
【００６６】
一実施態様では、マーケティングキャンペーンが開始されるとき、モバイル端末に通知が送信される。この通知は、例えば、スマートフォン、ＳＭＳ  ＭＭＳ又は電子メールに配信される通知である。
【００６７】
有利には、この通知は、モバイル端末のユーザのプロフィールを考慮に入れるようにして端末に送信される。
【００６８】
一実施態様では、この通知は、ジオフェンシングによって、所定の地理的エリア内で見いだされるモバイル端末に送信される。
【００６９】
有利には、この通知は、モバイル端末のユーザに、ユーザが現在の提供物について学習し、専用のリストに格納できるようにする専用アプリケーションにアクセスするように要求する。
【００７０】
ユーザがモバイル端末の環境においてショットを撮影するとき、その中のタグ又はバーコードのようなオブジェクトの存在を検出するために、ショットの解析が実行される。タグ又はバーコードのようなオブジェクトがその画像によって識別されたとき、そのアプリケーションは、前記タグに関連付けられる少なくとも１つの販売地点を識別する。
【００７１】
有利には、その際、モバイル端末の位置が考慮に入れられ、モバイル端末上に表示される提供物は、モバイル端末の位置に基づいて異なることになる。
【００７２】
有利には、販売地点、及び販売促進情報又はコミュニティコンテンツのような情報が端末の表示上に現れる。
【００７３】
有利には、販売地点の住所が、地図及び／又は経路上に重ね合わせられ、端末の表示上に現れる。
【００７４】
有利には、そのアプリケーションのバックエンドが、関心地点を管理する。それにより、そのブランドに関して、ＰＯＩに対する更新を実行することができる。この更新は、
−  ＰＯＩを追加又は除去することと、
−  １つ又は複数のＰＯＩに結び付けられる提供物を追加、除去又は編集することと、
−  ＰＯＩに結び付けられる情報、例えば、開店時刻、電話番号又は電子メールアドレスを編集することからなる場合がある。
【００７５】
このバックエンドの助けを借りて、モバイル端末に送信される通知を容易に更新することができる。
【００７６】
その方法及びデバイスは、屋内でモバイル端末の位置を特定するのを助けるタグを用いて、ショッピングセンター、鉄道駅及び空港におけるモバイルジオマーケティングについてのアプリケーションを有する。
【００７７】
有利には、ユーザがＰＯＩに接近するとき、拡張現実を用いて、モバイル端末の画面上に情報が現れる。この情報は、例えば、販売促進提供物（クーポン）である。
【００７８】
説明されたばかりの方法及びシステムは、数多くの利点を示す。
【００７９】
その方法及びシステムは、情報を提供する社会的側面を環境に追加できるようにする。有利には、その情報は、拡張現実を用いて端末に与えられ、ＰＯＩは、端末のカメラ又はマイクロフォンによって取り込まれるビジュアル又はオーディオオブジェクトに関する、端末の位置に関連付けられる位置である。
【００８０】
本発明の方法及びシステムは、ユーザ自身が関心の的であると示している場合に、ユーザのプロフィールに対応する販売促進提供物（クーポン、割引券、ロイヤルティポイント、及びクレジットカード若しくは銀行カードとして用いることができるハイブリッドカードなど）を送ることができるようにする。
【００８１】
一変形形態では、オブジェクトが、例えば、端末によって走査されるタグであるとき、その端末を用いて、タグに関連付けられる商品の代金を支払うことができる。
【００８２】
一変形形態では、オブジェクトが端末によって走査されるとき、ユーザはオンラインで投票するか、オンラインで予約するか、オンラインで購入するか、又は走査されたオブジェクトに関連付けられる場所である投票所を訪問することができる。
【００８３】
また、本発明の方法及びシステムは、助言、提案、又は製品、サービス、人、企業、又はサイトについての情報という形で、ユーザに関連する、またユーザにとって関心があると想定される情報を送信できるようにする。
【００８４】
また、本発明の方法及びシステムは、ユーザの関心事と共通する特徴を有する製品、サービス、及びサイトについて、ユーザが学習できるようにする。それにより、ユーザの好みにより相応しいように、旅行サイトを見つけることができる。
【００８５】
オブジェクトが、例えば、インターネット上、又はテレビ番組内のメディアコンテンツに含まれるとき、本発明の方法及びシステムはゲームのようなアプリケーションを可能にする。走査されたオブジェクト（そのオブジェクトは、例えば、タグである）に関連付けられる場所に加えて、ユーザは、イベント関連のクイズ又はゲームを含むメディアコンテンツを提供されることになる。
【００８６】
例えば、ユーザは、企業又は商標を指定するロゴの写真又は映像を撮影し、そのロゴをシステム３に送信することができ、システム３はデータベース６から、端末２の位置に最も近いブランドの企業又は供給業者の住所を引き出す。ショットがビデオであるとき、そのビデオはフレーム単位に分割され、その後、画像認識技法を用いて、各フレームがデータベース６内の画像と比較される。
【図１】
2015515669.tif 000003
【国際調査報告】
2015515669.tif 000004
2015515669.tif 000005
2015515669.tif 000006
2015515669.tif 000007
2015515669.tif 000008
2015515669.tif 000009